(57)【要約】  【課題】  入力映像信号の平均輝度の変化量が小さい場合には、光量の変化速度をゆっくりさせて、画面上の明暗の変化を目立たせないようにする。  【解決手段】  入力映像信号の平均輝度を算出し、得られた平均輝度が高いときは光変調素子に入射する光の光量を増大し、低いときは減少させて、黒浮きを防ぎコントラストを高くする。さらに、平均輝度の変化量が小さいときは低速で、大きいときは高速でそれぞれ光量変化を制御し、画面の明暗を目立たなくする。【選択図】  図１
2006135801.tif 000002
【特許請求の範囲】
【請求項１】
入力映像信号の平均輝度を算出する平均輝度算出手段と、該平均輝度算出手段により得られた平均輝度に応じて光変調素子に入射する光の光量を制御する光量制御手段を有する投射型画像表示装置であって、
前記光量制御手段は、前記平均輝度算出手段で得られた平均輝度の変化量が小さいときは低速で、大きいときは高速でそれぞれ光量変化を制御することを特徴とする投射型画像表示装置。
【請求項２】
請求項１に記載の投射型画像表示装置において、
前記光量制御手段は、前記平均輝度の変化量が小さいときの光量変化制御の途中に前記平均輝度の変化量が大きくなったときは、低速の光量変化制御から高速の光量変化制御に切り替えることを特徴とする投射型画像表示装置。
【請求項３】
請求項１又は２に記載の投射型画像表示装置において、
前記光量制御手段は、前記平均輝度算出手段で得られた平均輝度が予め設定した複数のレベルの１つ以上のレベル分変化したときだけ動作することを特徴とする投射型画像表示装置。
【請求項４】
請求項１乃至３のいずれか１つに記載の投射型画像表示装置において、
前記光量制御手段は、前記平均輝度の変化量を先の複数フレームに亘って先読みし、該先読みの結果で得られた変化量が現在の制御の元になっている変化量より大きいとき、事前に当該大きい変化量に応じた高速の光量変化制御に移行するようにしたことを特徴とする投射型画像表示装置。
【発明の詳細な説明】
【技術分野】
【０００１】
本発明は、照射ランプの光量を入力映像信号の輝度に応じて制御することによりコントラストの向上を図る投射型画像表示装置にかかり、特に平均輝度の変化量に応じて光量変化速度を制御し画面の明暗の変化を目立たせないようにした投射型画像表示装置に関するものである。
【背景技術】
【０００２】
光変調素子として液晶表示素子等を使用した投射型の画像表示装置では、照射ランプの光量を制御する光量制御手段を設け、入力映像の輝度レベルが高くなれば増大させ、低くなれば低減させるように光量を制御して、黒浮きを無くしてコントラストを上げるようにした技術が提案されている（例えば、特許文献１参照）。
【０００３】
その光量制御手段としては、照射ランプの発光強度を直接制御するものや、シャッタ板（光学系では位相差板、偏光板等）をモータにより駆動して透過光量を制御するもの等がある（例えば、特許文献２参照）。
【０００４】
このような光量制御では、入力映像の輝度に応じて常に光量を変化させると画面がちらつくので、ある変化量を超える輝度変化があった場合に、光量を変化させるようにしている。このとき、光量制御を高速に実現できる場合には、１垂直期間内で光量を変化させることが行われている（例えば、特許文献１参照）。
【特許文献１】特開２００２−０３１８４６号公報
【特許文献２】特開２０００−３４７１３７号公報
【発明の開示】
【発明が解決しようとする課題】
【０００５】
しかしながら、入力映像信号の輝度の変化量が小さい場合、ある輝度変化量に達した時に光量が突然変化すると、画面上では突然に明るさが変化してしまい、不自然さが生じるという問題があった。
【０００６】
本発明の目的は、入力映像信号の平均輝度の変化量が小さい場合には、光量の変化速度をゆっくりさせて、画面上の明暗の変化を目立たせないようにした投射型画像表示装置を提供することである。
【課題を解決するための手段】
【０００７】
請求項１にかかる発明は、入力映像信号の平均輝度を算出する平均輝度算出手段と、該平均輝度算出手段により得られた平均輝度に応じて光変調素子に入射する光の光量を制御する光量制御手段を有する投射型画像表示装置であって、前記光量制御手段は、前記平均輝度算出手段で得られた平均輝度の変化量が小さいときは低速で、大きいときは高速でそれぞれ光量変化を制御することを特徴とするようにしたことを特徴とする。
【０００８】
請求項２にかかる発明は、請求項１に記載の投射型画像表示装置において、前記光量制御手段は、前記平均輝度の変化量が小さいときの光量変化制御の途中に前記平均輝度の変化量が大きくなったときは、低速の光量変化制御から高速の光量変化制御に切り替えることを特徴とする。
【０００９】
請求項３にかかる発明は、請求項１又は２に記載の投射型画像表示装置において、前記光量制御手段は、前記平均輝度算出手段で得られた平均輝度が予め設定した複数のレベルの１つ以上のレベル分変化したときだけ動作することを特徴とする。
【００１０】
請求項４にかかる発明は、請求項１乃至３のいずれか１つに記載の投射型画像表示装置において、前記光量制御手段は、前記平均輝度の変化量を先の複数フレームに亘って先読みし、該先読みの結果で得られた変化量が現在の制御の元になっている変化量より大きいとき、事前に当該大きい変化量に応じた高速の光量変化制御に移行するようにしたことを特徴とする。
【発明の効果】
【００１１】
請求項１にかかる発明によれば、平均輝度が低くなれば光量を少なくし高くなれば多くするよう制御することで黒浮きを防止してコントラストを高くすることができる。また、平均輝度の変化量が小さいときは低速で光量変化が制御されるので、画面上の明暗の変化が目立たなくなり、平均輝度の変化量が大きいときは映像そのものが大きく変化しており高速で光量変化させてもちらつきが問題となることはない。
【００１２】
請求項２にかかる発明によれば、光量変化制御途中に大きな平均輝度変化があった場合でも、それに対応した光量変化制御に切り替えられ、映像の動きに適応した制御が可能となる。
【００１３】
請求項３にかかる発明によれば、平均輝度が予め設定した複数のレベルの１つ以上のレベル分変化したときだけ制御が行われるので、常時制御が行われる場合と比較して、画面のちらつきを低減できる。
【００１４】
請求項４にかかる発明によれば、先読みした平均輝度の変化量が大きいときは、事前に当該大きい変化量に応じた高速の光量変化制御に移行するので、映像の動きに適応した制御が可能となる。
【発明を実施するための最良の形態】
【００１５】
[実施例１]
図１は本発明の実施例１の光変調素子として液晶表示素子を使用した投射型画像表示装置の要部のブロック図である。なお、液晶表示素子を使用した投射光学系の全体については、例えば、前記した特許文献１，２等で周知であるので、ここでは説明を省略する。
【００１６】
入力するアナログの映像信号（ＲＧＢの３原色信号）はＡＤコンバータ１によりデジタル信号に変換され、映像処理回路２に取り込まれて、ビデオＲＡＭ３にフレーム単位で記憶される。この映像処理回路２では、スケーリング（拡大／縮小）処理、キーストーン（台形歪補正）処理等の通常の画像処理を行い、図示しない液晶駆動回路に出力する。
【００１７】
また、この映像処理回路２では、ビデオＲＡＭ３に映像データを記憶する際あるいは記憶した後に、当該映像データのフレーム単位の平均輝度を算出する。この平均輝度算出では、例えば画素毎のＲＧＢ輝度レベルを１フレームに亘って合計することにより行う。これら映像信号処理回路２およびビデオＲＡＭ３が平均輝度算出手段を構成する。
【００１８】
そして、算出した平均輝度に基づいてＣＰＵ４によりシャッター駆動回路５を制御し、ステッピングモータ、サーボモータ等のように位置制御が可能なシャッタ駆動モータ６を駆動して、調光用シャッタ板７を制御し、光源から液晶表示素子に入力する光の光量を調整する。これらＣＰＵ４、シャッタ駆動回路５、シャッタ駆動モータ６、調光用シャッタ板７が光量制御手段を構成する。光量の制御形態は、上記算出した平均輝度が高い場合は光量を多くし、逆に平均輝度が低い場合は光量を少なくするが、その光量の変化速度は平均輝度の変化量に応じて制御する。
【００１９】
図２は所定のコントラストを確保するための、１フレーム内の平均輝度と当該平均輝度時に要求される光量の関係を示す図である。通常の比較的明るい映像では、平均輝度はほぼ中間レベルＬａ以上の場合が多く、この領域では良好なコントラストが得られる。したがって、平均輝度が中間レベルＬａから最大輝度Ｌmaxまでの間では、光量は最大値のＡ％から変化させない。しかし、平均輝度が中間レベルＬａよりも低下したときには光量が大きいと黒浮きが生じてコントラストが低下するので、その平均輝度の低下量に応じて光量を減少させるよう制御して、低輝度領域でのコントラストを向上させる。平均輝度が最低値Ｌminになったときは、光量を最低値のＢ％に絞る。光量の最大値Ａ％に対する最低値Ｂ％は、１／２から１／３が好ましい。
【００２０】
図３は調光用シャッタ板７による光量制御の説明図である。調光用シャッタ板７の板面が照明光の光軸に対して平行な場合（図３(a)）は、その調光用シャッタ板７を通過する光量は最大となり、直角な場合（図３(b)）は最小となる。その調光用シャッタ板７は板面が完全な遮光面であれば、図３(c)のａの特性に示すように光軸に対して９０度に回転させることにより透過する光量はほぼゼロとなるが、板面に複数の小穴を形成しておくことにより、その回転角度が９０度に近づくと図３(c)のｂの特性に示すように小穴を通過する光量が増大するので、図３(c)のｃの特性に示すように、９０度に回転させてもある光量が得られる。このような手法によって、調光用シャッタ板７を０〜９０度の範囲で回転制御させることにより、図２で説明した光量の最大値Ａ（％）（調光用シャッタ板７の回転角度０度）と最低値Ｂ（％）（調光用シャッタ板７の回転角度９０度）を設定できる。なお、調光用シャッタ板７に位相差板を使用した場合は、最低値Ｂ（％）を実現する回転角度は４５度となる。
【００２１】
図４は平均輝度の変化量に応じた光量変化速度の制御特性を示す図である。ここでは、映像信号の平均輝度を、最小値Ｌminから最大値Ｌmaxの間を等ピッチの複数のレベル（しきい値）Ｌ２，Ｌ３，・・・に分けて、隣接レベル間を１ステップとしその１ステップを単位として離散的に扱う。特性曲線の傾斜が光量変化速度を表す。以下では、現在のフレームの平均輝度が直前のフレームの平均輝度から変化してその後の制御完了までは１ステップ以上変化しない場合を仮定して説明する。
【００２２】
まず、隣接フレーム間での平均輝度の変化量が１ステップ以上２ステップ未満（例えばＬmin→Ｌ２）と小さい場合は、動きの少ない映像であり、このような場合には調光用シャッタ板７を速く回転させると光量の変化がちらつきとなって見える場合があるので、シャッタ駆動モータ６をゆっくりと駆動して調光用シャッタ板７をゆっくり回転させ、光量をゆっくり増大させる。具体的例では、上記のようにＬmin→Ｌ２と変化したときは、光量を映像信号の８Ｖ（垂直同期）期間から１６Ｖ期間にわたる時間をかけて、図２に示す最低のＢ％からＮ１％に増大させる。この変化に要する時間は、長ければ長いほどちらつきを感じさせないため好ましい。図４では調光用シャッタ板７の動作完了までの時間Ｔ１を１６Ｖ（約２６０ｍｓ）と長くした。なお、以上はＬ２→Ｌminと変化したときも同じである。
【００２３】
一方、隣接フレーム間での平均輝度が大きく変化する場合、例えばＬmin→Ｌmaxと変化するような場合には映像そのものが大きく変化しており、調光用シャッタ板７を高速で回転させても、ちらつきが見えることは少ない。この場合、調光用シャッタ板７の動きが遅い場合は輝度変化が顕著になるので、調光用シャッタ板７の動きは速いほど好ましい。上記のように平均輝度がＬmin→Ｌmaxと変化したときは、光量を高速で変化させて、図２に示す最低のＢ％からＡ％に増大させる。このとき、当初は低速で変化させ途中から高速に変化させれば、光量変化がなめらかに行われるようになる。
【００２４】
ただ、このＬmin→Ｌmaxと変化するように平均輝度の変化量が極めて大きい場合は、調光用シャッタ板７を駆動する駆動モータ６が、要求される速度に追従できない場合があるので、このような場合は、多少時間をかけても良い。例えば、最小のＬminから最大のＬmaxに一気に変化した場合の動作変化完了までの時間Ｔ２は、２００ｍｓ〜３００ｍｓをかけても良い。
【００２５】
なお、以上の説明は、現在のフレームの平均輝度が直前のフレームの平均輝度から変化してその後の制御完了までは１ステップ以上変化しない場合についての説明であったが、光量を変化させている途中で平均輝度がさらに１ステップ以上変化したときは、それまでの光量変化制御を中止して、新たな平均輝度による変化量に応じた光量変化速度で制御する。
【００２６】
[実施例２]
図３は本発明の実施例２の投射型画像表示装置の要部のブロック図である。ここでは、ビデオＲＡＭとして６個のビデオＲＡＭ３Ａ〜３Ｆを備えるよう構成した。他は図１と同じである。ビデオＲＡＭ３Ａ〜３Ｆには映像信号の連続する６フレーム分の映像データを順次記憶できるので、入力した映像データを６Ｖ期間だけ遅らせて出力させることができる。したがって、６フレーム先までの平均輝度を先読みしてその情報から調光用シャッタ板７の光量を制御することができる。
【００２７】
例えば、現在出力されるフレームの映像とその直前のフレームの映像との間での平均輝度の変化が１ステップであったとすると、それ以降の５フレームの間で平均輝度が１ステップ以上変化していない場合には、調光用シャッタ板７の回転動作を１２Ｖ期間以上をかけてゆっくり行うような速度で回転させることにより、ちらつきの発生を極力防止することができる。しかし、以降の５フレームの間で平均輝度が１ステップ以上大きく変化しているような場合には、その平均輝度の変化量に応じて事前に調光用シャッタ板７を速く動作させる。これにより、映像の動きにより適応して調光用シャッタ板の動作速度を制御することができる。
【００２８】
[実施例３]
なお、以上の実施例１，２では平均輝度の算出を１フレーム単位で行っていたが、２以上の複数フレームにわたる平均輝度を算出し、光量制御を複数フレーム単位で行うようにしても良い。
【図面の簡単な説明】
【００２９】
【図１】本発明の実施例１の投射型画像形成装置の要部のブロック図である。
【図２】１フレーム内の平均輝度とそれに対応して要求される光量との関係を示す特性図である。
【図３】調光用シャッタ板の回転による光量変化の説明図である。
【図４】調光用シャッタ板の動作完了までの時間と隣接フレーム間の平均輝度の変化量の関係を示す特性図である。
【図５】本発明の実施例２の投射型画像形成装置の要部のブロック図である。
【符号の説明】
【００３０】
１：ＡＤコンバータ
２：映像処理回路
３、３Ａ〜３Ｆ：ビデオＲＡＭ
４：ＣＰＵ
５：シャッタ駆動回路
６：シャッタ駆動モータ
７：調光用シャッタ板
【図１】
2006135801.tif 000003
【図２】
2006135801.tif 000004
【図３】
2006135801.tif 000005
【図４】
2006135801.tif 000006
【図５】
2006135801.tif 000007